(57)【要約】【課題】取付穴に雌パーツを仮留めする作業の段階で雄パーツを押圧しても、予期せず雄パーツが押し込み切られてしまわないようにする。【解決手段】雄パーツ２の差し入れ脚部２１の先端側には、雌パーツ１の内壁部への第一掛合部２１ｂが設けられ、雄パーツ２は第一掛合部２１ｂの掛合により雌パーツ１と仮組みされる。雄パーツ２の差し入れ脚部２１の基部側には、仮組み状態からの雌パーツ１内への雄パーツ２の押し込みにより雌パーツ１の内壁部に弾性的に掛合する第二掛合部２１ｄが設けられ、第二掛合部２１ｄを掛合させる位置までの雄パーツ２の押し込みによって雄パーツ２の差し入れ脚部２１により雌パーツ１の掛合突部１１ａの内側への撓み込みが阻止される。雄パーツ２における第二掛合部２１ｄの弾性的な掛合に必要な力が、雌パーツ１の掛合突部１１ａの弾性変形に必要な力よりも大きくなるようにしてある。【選択図】        図２
2004156722.tif 000002
【特許請求の範囲】
【請求項１】
頭部と脚部とを有し、頭部側において開放されて脚部側に続く内部空間を有する雌パーツと、
押圧用頭部と雌パーツの内部空間への差し入れ脚部とを有する雄パーツとを備えており、
雌パーツは、その脚部の外面部に掛合突部を有すると共に、この掛合突部の形成箇所を取付穴への脚部の入れ込みに伴う取付穴側への掛合突部の押し当たりにより内部空間に向けて弾性的に撓み込ませて少なくともこの掛合突部が取付穴の入れ込み先側の穴縁部より先に位置される位置まで取付穴へのこの脚部の入れ込みを許容するように構成されており、
雄パーツの差し入れ脚部の先端側には、雌パーツの内壁部への第一掛合部が設けられており、雄パーツはこの第一掛合部の掛合により雌パーツと仮組みされるようにしてあると共に、
雄パーツの差し入れ脚部の基部側には、前記仮組み状態からの雌パーツ内への雄パーツの押し込みにより雌パーツの内壁部に弾性的に掛合する第二掛合部が設けられており、この第二掛合部を掛合させる位置までの雄パーツの押し込みによって雄パーツの差し入れ脚部により雌パーツの掛合突部の内側への撓み込みが阻止されるようになっており、
しかも、雄パーツにおける第二掛合部の弾性的な掛合に必要な力が、雌パーツの掛合突部の弾性変形に必要な力よりも大きくなるようにしてあることを特徴とする本留め用の雄パーツを有する連結具。
【請求項２】
雄パーツの押圧用頭部及び雌パーツの頭部のいずれか一方に、仮組み状態から第二掛合部を雌パーツの内壁部に掛合させる位置への雄パーツの押し込み操作に伴って、この雄パーツの押圧用頭部及び雌パーツの頭部の他方に弾性的に掛合される本留め状態の維持用掛合部が備えられていることを特徴とする請求項１記載の本留め用の雄パーツを有する連結具。
【請求項３】
雄パーツの第二掛合部が差し入れ脚部の外面部に形成された隆起部としてあると共に、この差し入れ脚部にこの隆起部が形成された箇所を弾性的に撓み込ませ可能とする空所が形成してあることを特徴とする請求項１又は請求項２記載の本留め用の雄パーツを有する連結具。
【発明の詳細な説明】
【０００１】
【発明の属する技術分野】
この発明は、パネルなどに形成された取付穴に入れ込まれてこの取付穴に仮留めされる雌パーツと、この雌パーツに仮組みされると共に、取付穴に雌パーツを仮留めさせた状態からこの雌パーツ内に雄パーツを押し込むことにより、雌パーツと取付穴とを本留めする雄パーツとからなり、この本留め状態において二以上の部材を連結させたり、連係させたりするように用いられる連結具の改良に関する。
【０００２】
【従来の技術】
雌部材と雄部材とからなり、雌部材を取付穴に挿入した後にこの雌部材内に雄部材を押し込むことによって雌部材を取付穴に対し強固に固定するようにしたものとして、特許文献１に示される結合クリップがある。
【０００３】
かかる結合クリップにおける雌部材は、スリットで割欠かれた筒部を備えている。一方、雄部材は、この雌部材の筒部に挿入される軸部を有している。また、雄部材と雌部材とは、雄部材の軸部の先端側に形成させた小径部に雌部材の筒部の内部に形成させた突起を掛合させるようにして仮組みされている。そして、この仮組み状態において、取付穴に雌部材の筒部を入れ込ませて仮留めをなした後、雄部材の軸部を雌部材内に押し込み切らせることにより、雌部材の筒部を開き出させ、取付穴への本留めをなすようにしてある。
【０００４】
【特許文献１】
特開平８−８２３１２号公報（第２図、第３図）
【０００５】
【発明が解決しようとする課題】
しかるに、特許文献１に代表されるこの種の連結具にあっては、取付穴への前記仮留め作業においても少なからず雄部材の頭部が押圧されることになる。このため、本留めを未だ要しない状態において、雄部材が雌部材内に押し込み切られてしまい、予期せず前記本留め状態が作り出されてしまうことがあった。
【０００６】
そこでこの発明は、この種の連結具において、取付穴に雌部材（雌パーツ）を入れ込ませてこの取付穴に雌部材を仮留めする作業の段階で雄部材（雄パーツ）を押圧しても、雌部材内に予期せず雄部材が押し込み切られてしまわないようにすることを主たる目的とする。
【０００７】
【課題を解決するための手段】
前記目的を達成するために、請求項１記載の発明にあっては、本留め用の雄パーツを有する連結具が、以下の（１）〜（６）の構成を備えたものとした。
（１）頭部と脚部とを有し、頭部側において開放されて脚部側に続く内部空間を有する雌パーツと、
（２）押圧用頭部と雌パーツの内部空間への差し入れ脚部とを有する雄パーツとを備えており、
（３）雌パーツは、その脚部の外面部に掛合突部を有すると共に、この掛合突部の形成箇所を取付穴への脚部の入れ込みに伴う取付穴側への掛合突部の押し当たりにより内部空間に向けて弾性的に撓み込ませて少なくともこの掛合突部が取付穴の入れ込み先側の穴縁部より先に位置される位置まで取付穴へのこの脚部の入れ込みを許容するように構成されており、
（４）雄パーツの差し入れ脚部の先端側には、雌パーツの内壁部への第一掛合部が設けられており、雄パーツはこの第一掛合部の掛合により雌パーツと仮組みされるようにしてあると共に、
（５）雄パーツの差し入れ脚部の基部側には、前記仮組み状態からの雌パーツ内への雄パーツの押し込みにより雌パーツの内壁部に弾性的に掛合する第二掛合部が設けられており、この第二掛合部を掛合させる位置までの雄パーツの押し込みによって雄パーツの差し入れ脚部により雌パーツの掛合突部の内側への撓み込みが阻止されるようになっており、
（６）しかも、雄パーツにおける第二掛合部の弾性的な掛合に必要な力が、雌パーツの掛合突部の弾性変形に必要な力よりも大きくなるようにしてある。
【０００８】
かかる構成によれば、前記取付穴に雌パーツの脚部を入れ込む操作をすると、この取付穴側に掛合突部が突き当たることとなるが、突き当てられた掛合突部の形成箇所は内部空間側に弾性的に撓み込むことから、取付穴への脚部の入れ込みは許容される。この状態から掛合突部が取付穴の入れ込み先側の穴縁部より先に位置される位置まで脚部が入れ込まれると、掛合突部の形成箇所が弾発されることから、前記頭部と掛合突部との間での取付穴の形成された部材の挟み付けがなされ、この部材に対する雌パーツ、つまり、連結具の仮留めが確保される。
【０００９】
ここで、前記雄パーツの差し入れ脚部の先端側には、雌パーツの内壁部への第一掛合部が設けられていることから、この仮留めの前後に亘って、雄パーツと雌パーツとは分離されることがない。
【００１０】
この仮留め状態から、前記第二掛合部を掛合させる位置まで雄パーツを雌パーツ内に押し込ませることによって雄パーツの差し入れ脚部により雌パーツの掛合突部の形成された箇所の撓み込みが阻止され、連結具の本留めが確保される。
【００１１】
雄パーツにおける第二掛合部の弾性的な掛合に必要な力は、雌パーツの掛合突部の弾性変形に必要な力よりも大きくなるようにしてあることから、取付穴に対し雌パーツを入れ込み掛合突部によって雌パーツを仮留めさせるに際し、雄パーツの押圧用頭部を押しながらこの仮留めをなすことができ、この仮留めの後にこの取付穴に雌パーツを本留めできる状態を確保させた後、再度、雄パーツの押圧用頭部に押圧力を作用させることにより、本留め状態を作り出すようにすることができる。
【００１２】
また、請求項２記載の発明にあっては、請求項１記載の本留め用の雄パーツを有する連結具における、雄パーツの押圧用頭部及び雌パーツの頭部のいずれか一方に、仮組み状態から第二掛合部を雌パーツの内壁部に掛合させる位置への雄パーツの押し込み操作に伴って、この雄パーツの押圧用頭部及び雌パーツの頭部の他方に弾性的に掛合される本留め状態の維持用掛合部が備えられていることを特徴としている。
【００１３】
かかる構成によれば、この維持用掛合部の掛合を解かない限り、前記本留め状態が解除されないようにすることができる。
【００１４】
また、請求項３記載の発明にあっては、請求項１又は請求項２記載の本留め用の雄パーツを有する連結具における、雄パーツの第二掛合部が差し入れ脚部の外面部に形成された隆起部としてあると共に、この差し入れ脚部にこの隆起部が形成された箇所を弾性的に撓み込ませ可能とする空所が形成してあることを特徴としている。
【００１５】
かかる構成によれば、前記仮組み状態から主として雄パーツの側を弾性変形させながら、この雄パーツを雌パーツ内に円滑に押し込み切ることができる。
【００１６】
【発明の実施の形態】
以下、図１ないし図１８に基づいて、この発明の典型的な実施の形態について説明する。
【００１７】
なお、ここで図１は、実施の形態にかかる連結具Ｒを用いて構成されるボックス体１００の取付構造の一例を理解しやすいように、この取付構造を構成する各部材を分離した状態として示している。
【００１８】
また、図２および図３は、連結具Ｒを取付穴Ｈに仮留めさせた状態を、図４および図５は、連結具Ｒを取付穴Ｈに本留めさせた状態を、それぞれ示しており、図３および図５は、図２および図４と９０度異なる向きから連結具Ｒを見た状態として示している。また、図６ないし図８は、かかる連結具Ｒを、図９ないし図１３は、かかる連結具Ｒを構成する雄パーツ２を、さらに、図１４から図１８は、かかる連結具Ｒを構成する雌パーツ１を、それぞれ示している。
【００１９】
この実施の形態にかかる連結具Ｒは、パネルＰなどに形成された取付穴Ｈに入れ込まれてこの取付穴Ｈに仮留めされる雌パーツ１と、この雌パーツ１に仮組みされると共に、取付穴Ｈに雌パーツ１を仮留めさせた状態からこの雌パーツ１内に雄パーツ２を押し込むことにより、雌パーツ１と取付穴Ｈとを本留めする雄パーツ２とを有しており、この本留め状態において、連結具Ｒを介して、二以上の部材を連結させたり、連係させたりするように用いられるものである。
【００２０】
雌パーツ１は、頭部１０と脚部１１とを有し、頭部１０側において開放されて脚部１１側に続く内部空間１２を有するように構成されている。すなわち、雌パーツ１は、少なくともその一部を、筒状をなすように構成させている。
【００２１】
図示の例では、雌パーツ１は、脚部１１を角形の筒状をなすように構成させている。また、雌パーツ１は、頭部１０を、円板状をなすように構成させている。この円板状をなす頭部１０のほぼ中心に角形の開放部１０ａが形成されている。脚部１１には、この開放部１０ａに連通して、脚部１１の長さ方向ほぼ中程の位置まで延びる内部空間１２が形成されている。脚部１１は、四つの外面部を持ち、かつ、内部空間１２は、四つの内壁部によって形成されており、脚部１１は、その横断面の外郭形状をほぼ方形とすると共に、内部空間１２の形成箇所での内郭形状をほぼ方形とするように構成されている。
【００２２】
そして、図示の例では、かかる雌パーツ１は、パネルＰなどに形成された方形の取付穴Ｈに対し、脚部１１の先端側からこの取付穴Ｈに前記頭部１０が引っかかる位置まで、この取付穴Ｈの各穴縁に対応する脚部１１の外面部を向き合わせる向きで、入れ込めるようになっている。特に、図示の例では、脚部１１における背中合わせの位置にある一対の外面部に、頭部１０に上端を一体に接合させて脚部１１の先端側に向けて延びる位置決めリブ１３が形成されており、取付穴Ｈの対応する穴縁に形成された位置決め凹所Ｈａにこの位置決めリブ１３を通し抜けさせる向きでのみ、脚部１１を取付穴Ｈに入れ込めるようになっている。
【００２３】
また、雌パーツ１は、その脚部１１の外面部に掛合突部１１ａを有している。図示の例にあっては、この脚部１１における背中合わせの向きにある一対の外面部であって、前記位置決めリブ１３の設けられていない外面部における内方に内部空間１２を配した箇所、つまり、この脚部１１の長さ方向ほぼ中程の位置から頭部１０までの間の箇所にそれぞれ、かかる掛合突部１１ａが形成されている。
【００２４】
そして、雌パーツ１は、この掛合突部１１ａの形成箇所を取付穴Ｈへの脚部１１の入れ込みに伴う取付穴Ｈ側への掛合突部１１ａの押し当たりにより内部空間１２に向けて弾性的に撓み込ませて少なくともこの掛合突部１１ａが取付穴Ｈの入れ込み先側の穴縁部より先に位置される位置まで取付穴Ｈへのこの脚部１１の入れ込みを許容するように構成されている。
【００２５】
図示の例では、脚部１１の長さ方向に沿って形成された一対の縦向きの割溝１１ｅ、１１ｅと、この一対の縦向きの割溝１１ｅ、１１ｅの下端間（頭部１０側と反対の溝端）に亙る脚部１１の長さ方向ほぼ中程の位置に形成された横向きの割溝１１ｆとにより区分された外面部に、かかる掛合突部１１ａを備えている。すなわち、図示の例では、かかる一対の縦向きの割溝１１ｅ、１１ｅと横向きの割溝１１ｆとによって、脚部１１に、上端を頭部１０側に一体に連接させた弾性片１１ｇが形成されていると共に、この弾性片１１ｇの外側に、前記掛合突部１１ａが形成されている。
【００２６】
この掛合突部１１ａは頭部１０の側に向いた掛合面１１ｂを有している。また、この掛合面１１ｂと頭部１０との間の間隔を、取付穴Ｈの形成された部材、図示の例ではパネルＰの厚さとほぼ等しくするように構成させている。また、脚部１１の両側にそれぞれ形成されたこの掛合突部１１ａの突き出し端１１ｃ間の間隔が、この掛合突部１１ａの設けられた脚部１１の外面部に向き合う取付穴Ｈの向かい合った穴縁間の間隔よりもやや大きくなるように構成されている。
【００２７】
この結果、前記取付穴Ｈに雌パーツ１の脚部１１を入れ込む操作をすると、この取付穴Ｈの穴縁に掛合突部１１ａが突き当たることとなるが、突き当てられた掛合突部１１ａの形成箇所は内部空間１２側に弾性的に撓み込むことから、取付穴Ｈへの脚部１１の入れ込みは許容される。この状態から掛合突部１１ａが取付穴Ｈの入れ込み先側の穴縁部より先に位置される位置まで脚部１１が入れ込まれると、掛合突部１１ａの形成箇所が弾発されることから、前記頭部１０と掛合突部１１ａとの間での取付穴Ｈの形成された部材の挟み付けがなされ、この部材に対する雌パーツ１、つまり、連結具Ｒの仮留めが確保される。
【００２８】
なお、図示の例にあっては、掛合突部１１ａにおける脚部１１の先端に向けられた側には、掛合突部１１ａの突き出し端１１ｃに近付くに連れて次第に高まる傾斜面１１ｄが形成されており、この傾斜面１１ｄによって前記取付穴Ｈへの脚部１１の入れ込みに伴う掛合突部１１ａの形成箇所、つまり、弾性片１１ｇの撓み込みがスムースになされるようになっている。
【００２９】
一方、雄パーツ２は、押圧用頭部２０と雌パーツ１の内部空間１２への差し入れ脚部２１とを有している。
【００３０】
差し入れ脚部２１は、雌パーツ１の内部空間１２の内郭形状に倣った外郭形状を有するように構成されており、図示の例では、差し入れ脚部２１は、四つの外面部を備えた横断面形状をほぼ方形とするように構成されている。また、図示の例では、差し入れ脚部２１は、両筒端を開放させた角筒状をなすように構成されており、この差し入れ脚部２１の内部によって後述する空所２１ａが形成されている。
【００３１】
また、押圧用頭部２０は、円板状をなす主体部２０ａと、この主体部２０ａの直径方向両側においてそれぞれ側方に張り出す腕部２０ｂとを備えている。主体部２０ａのほぼ中央部には、差し入れ脚部２１の内部に連通した開放部２０ｆが形成されている。
【００３２】
また、かかる雄パーツ２の差し入れ脚部２１の先端側（つまり、押圧用頭部２０と反対の側）には、雌パーツ１の内壁部への第一掛合部２１ｂが、また、雄パーツ２の差し入れ脚部２１の基部側には、雌パーツ１の内壁部への第二掛合部２１ｄが、それぞれ設けられている。
【００３３】
第一掛合部２１ｂは、雌パーツ１の内部空間１２に雄パーツ２の差し入れ脚部２１をやや差し入れた状態において、雌パーツ１の内壁部に掛合して、雄パーツ２と雌パーツ１とを仮組みさせるために設けられている。すなわち、かかる第一掛合部２１ｂは、雌パーツ１の内部空間１２に雄パーツ２の差し入れ脚部２１を差し入れ切って後述する本留め状態を作り出すまでの間、雄パーツ２と雌パーツ１とを分離しないようにするものである。
【００３４】
図示の例では、第一掛合部２１ｂは、雄パーツ２の差し入れ脚部２１を構成する四つの外面部のうち、背中合わせの向きにある一対の外面部であって、この差し入れ脚部２１の先端部に形成されている。
【００３５】
図示の例では、第一掛合部２１ｂは、差し入れ脚部２１の長さ方向に沿って延びる、一対のリブ状体２１ｃ、２１ｃによって構成されている。
【００３６】
そして、このリブ状体２１ｃが雌パーツ１の脚部１１における縦向きの割溝１１ｅに入り込む幅を持つように構成してあると共に、一対のリブ状体２１ｃ、２１ｃ間の間隔が、雌パーツ１の脚部１１における一対の縦向きの割溝１１ｅ、１１ｅ間の間隔とほぼ等しくなるように構成されている。そして、図示の例にあっては、雌パーツ１の開放部１０ａより雄パーツ２の差し入れ脚部２１を、この第一掛合部２１ｂの設けられた差し入れ脚部２１の外面部が、掛合突部１１ａの内方に位置される雌パーツ１の脚部１１の内壁部に向き合う向きで入れ込むことにより、主として雄パーツ２側の弾性変形によって前記縦向きの割溝１１ｅにリブ状体２１ｃが入り込み、入り込んだ後の弾性復帰によってリブ状体２１ｃの上端が縦向きの割溝１１ｅの上端に引っかかるようにしてある。そしてこれにより、雄パーツ２と雌パーツ１との仮組みがなされるようにしてある。（図２、図３）具体的には、図示の例にあっては、雄パーツ２における第一掛合部２１ｂの設けられた一対の外面部は、この第一掛合部２１ｂが設けられていない一対の外面部よりも末端を前方に位置させており、このように突き出された部分が前記雌パーツ１への雄パーツ２の入れ込みに伴って内向きに弾性変形して前記縦向きの割溝１１ｅにリブ状体２１ｃを入り込ませるようになっている。
【００３７】
図示の例では、このように雌パーツ１の縦向きの割溝１１ｅにリブ状部を引っかけさせた雄パーツ２は、その先端を前記弾性片１１ｇの基部側に位置させるようになっており、このように仮組みされた雄パーツ２によって、雌パーツ１の弾性片１１ｇの内向きへの撓み込みが阻止されることはないようになっている。また、図示の例では、雄パーツ２のリブ状部が形成されている差し入れ脚部２１の先端部は、リブ状体２１ｃの下端側に向けてこの差し入れ脚部２１を細める向きに傾斜した傾斜面２１ｆを備えており、仮組み状態における雌パーツ１の弾性片１１ｇの内向きへの撓み込みを一層邪魔することがないように構成されている。
【００３８】
また、図示の例では、この仮組み状態において、前記第二掛合部２１ｄが雌パーツ１の開放部１０ａの縁部に上方から突き当たるようになっており、この仮組み状態にある位置から雄パーツ２が雌パーツ１内に差し込み切られる位置まで、予期せず雄パーツ２が移動してしまうことがないようになっている。
【００３９】
第二掛合部２１ｄは、前記仮組み状態からの雌パーツ１内への雄パーツ２の押し込みにより雌パーツ１の内壁部に弾性的に掛合するように構成されている。そして、この第二掛合部２１ｄを掛合させる位置までの雄パーツ２の押し込みによって雄パーツ２の差し入れ脚部２１により雌パーツ１の掛合突部１１ａの内側への撓み込みが阻止されるようになっている。
【００４０】
図示の例では、第二掛合部２１ｄは、雄パーツ２の差し入れ脚部２１を構成する四つの外面部のうち、背中合わせの向きにある一対の外面部であって、第一掛合部２１ｂが設けられていない外面部における差し入れ脚部２１の基部側に形成されている。
【００４１】
図示の例では、かかる第二掛合部２１ｄは、差し入れ脚部２１における第一掛合部２１ｂを構成するリブ状体２１ｃの上端の上方に下端を位置させ、かつ、上端を押圧用頭部２０の下方に位置させると共に、この下端から上端に向けて次第に外面部からの張り出し量を大きくするように構成された隆起部２１ｅとして構成されている。そして、一対の隆起部２１ｅ、２１ｅの最大突き出し位置間の間隔が、前記掛合突部１１ａの形成されていない外壁部の内方に位置される雌パーツ１の向き合った内壁部間の間隔よりもやや大きくなるようにしてある。
【００４２】
そして、図示の例では、前記仮組み状態において、この隆起部２１ｅの下端側が雌パーツ１の開放部１０ａの縁部に上方から突き当たるようになっている。
【００４３】
そして、前記雄パーツ２における第二掛合部２１ｄの弾性的な掛合に必要な力が、雌パーツ１の掛合突部１１ａの弾性変形に必要な力よりも大きくなるようにしてある。
【００４４】
すなわち、図示の例では、前記仮組み状態から雄パーツ２の差し入れ脚部２１を雌パーツ１の脚部１１内に押し込み切ることにより、主として、雄パーツ２の側を弾性変形させて第二掛合部２１ｄ、つまり、前記隆起部２１ｅを雌パーツ１の内壁部に押し付け状に掛合させ、これにより、この押し込み切られた状態が維持されるようになっている。
【００４５】
このように、雌パーツ１内に雄パーツ２が押し込みきられると、仮組み状態からさらに雌パーツ１内に進入した雄パーツ２によって、雌パーツ１の掛合突部１１ａの形成箇所の内向きへの撓み込みが内方より阻止される。この結果、取付穴Ｈに前記のように仮留めされた雌パーツ１がこの取付穴Ｈに対し本留めされることとなる。（図４、図５）
【００４６】
この実施の形態にあっては、雄パーツ２における第二掛合部２１ｄの弾性的な掛合に必要な力が、雌パーツ１の掛合突部１１ａの弾性変形に必要な力よりも大きくなるように、具体的には図示の例にあっては、掛合突部１１ａの形成された弾性片１１ｇの剛性よりも第二掛合部２１ｄの形成箇所の剛性が高くなるようにしてある。
【００４７】
この結果、この実施の形態にあっては、取付穴Ｈを備えた部材のこの取付穴Ｈに対し雌パーツ１を入れ込み掛合突部１１ａによって雌パーツ１を仮留めさせるに際し、雄パーツ２の押圧用頭部２０を押しながらこの仮留めをなすようにすることができる。
【００４８】
そして、この取付穴Ｈに雌パーツ１を本留めできる状態を確保させた後、雄パーツ２の押圧用頭部２０に押圧力を作用させることにより、本留め状態を作り出すことができる。
【００４９】
図示の例では、第二掛合部２１ｄは、雄パーツ２を前記のように押し込み切ることによる主として雄パーツ２側の弾性変形によるこの第二掛合部２１ｄの雌パーツ１の内壁部への圧接によりこの内壁部に掛合されるようにしてあることから、本留め状態後であっても雄パーツ２の押圧用頭部２０を把持して雌パーツ１内から雄パーツ２を引き抜くようにすればこの本留め状態は解除可能となっている。これにより、こうした本留めの解除が必要になった場合に無理に取付穴Ｈから雌パーツ１を引き抜く必要がなく、こうした無理な引き抜きに伴う掛合突部１１ａの破損や取付穴Ｈ側の損傷などを生じさせることがない特長を有している。
【００５０】
もっとも、この実施の形態にあっては、雄パーツ２の押圧用頭部２０及び雌パーツ１の頭部１０のいずれか一方に、仮組み状態から第二掛合部２１ｄを雌パーツ１の内壁部に掛合させる位置への雄パーツ２の押し込み操作に伴って、この雄パーツ２の押圧用頭部２０及び雌パーツ１の頭部１０の他方に弾性的に掛合される本留め状態の維持用掛合部２０ｃを備えさせるようにしてある。
【００５１】
これにより、この維持用掛合部２０ｃの掛合を解かない限り、前記本留め状態が解除されないようにすることができる。
【００５２】
図示の例にあっては、雄パーツ２の押圧用頭部２０にこの維持用掛合部２０ｃを設けるようにしてある。
【００５３】
具体的には、前記押圧用頭部２０の主体部２０ａから側方に張り出す腕部２０ｂの先端に、この先端から差し入れ脚部２１の先端側に向けて突き出し部２０ｄが設けられていると共に、この突き出し部２０ｄの先端に第二掛合部２１ｄが形成されている差し入れ脚部２１の外面部に向けた突出部２０ｅが設けてあり、前記仮組み状態から雄パーツ２を雌パーツ１内に押し込み切る操作をなすことに伴って、雌パーツ１の頭部１０の縁部に突出部２０ｅが押し当てられ、この押し当たりにより腕部２０ｂが突出部２０ｅを外向きに移動させるように腕部２０ｂの先端を上方にやや反らせる向きに弾性変形されるようになっている。そして、この腕部２０ｂの弾性変形により突出部２０ｅが雌パーツ１の頭部１０の裏面側に入り込み、このように入り込んだ位置での腕部２０ｂの弾性復帰によって突出部２０ｅが雌パーツ１の頭部１０の裏面に引っかかるようになっている。すなわち、図示の例では、この突出部２０ｅが前記維持用掛合部２０ｃとして機能するようにしてある。
【００５４】
このように突出部２０ｅを雌パーツ１の頭部１０に掛合させた状態は、腕部２０ｂを再び上方に反らせるように、腕部２０ｂと雌パーツ１の頭部１０との間にドライバなどを差し入れてこの腕部２０ｂを弾性変形させることにより解くことができる。
【００５５】
また、この実施の形態にあっては、前記のように雄パーツ２の第二掛合部２１ｄが差し入れ脚部２１の外面部に形成された隆起部２１ｅとしてあると共に、この差し入れ脚部２１にこの隆起部２１ｅが形成された箇所を弾性的に撓み込ませ可能とする空所２１ａが形成してある。
【００５６】
これにより、この実施の形態にあっては、前記仮組み状態から主として雄パーツ２の側を弾性変形させながら、この雄パーツ２を雌パーツ１内に円滑に押し込み切ることができる。
【００５７】
図示の例にあっては、雄パーツ２の入れ込み脚部１１の四つの外面部のうち、第一掛合部２１ｂの形成された外面部における第一掛合部２１ｂとなるリブ状体２１ｃの上端と押圧用頭部２０との間に、二条の割溝２１ｇ、２１ｇが形成されており、この割溝２１ｇによって、第二掛合部２１ｄが形成された箇所が前記押し込み切り操作にあたり内向きに弾性変形し易いようになっている。
【００５８】
以上の構成を備えた連結具Ｒの必要な部分に所望の弾性変形特性を付与することは、かかる連結具Ｒを構成する雄パーツ２および雌パーツ１を合成樹脂を用いたプラスチック成型品とすることにより確保することができる。
【００５９】
なお、図示の例では、雌パーツ１の脚部１１の外面部であってその先端側、具体的には、内部空間１２の形成箇所より先の部分が、軟質の合成樹脂により被覆されており、このように被覆部１４が形成された先端側を取付穴Ｈの設けられた部材と連係させ合わせる必要のある部材の長穴２０１に対し入れ込ませて、取付穴Ｈの設けられた部材と長穴２０１の設けられた部材とを連係させ合わせるようにしている。
【００６０】
以上に説明した連結具Ｒは、例えば、互いに連通し合う取付穴Ｈを備えた二枚のパネルＰなどの留め合わせに用いることができる。
【００６１】
また、取付穴Ｈを備えた部材と、この取付穴Ｈに連通する長穴２０１を有する部材とを、前者が後者の長穴２０１に沿って規則的な移動をするように、両者を連係させるように組み合わせるために用いることができる。
【００６２】
また、かかる連結具Ｒによって、図１に示されるようなボックス体１００の取付構造を提供することもできる。
【００６３】
かかる取付構造は、上部を開放させると共に、側部１０１において固定側パネル２００に回動可能に組み付けられ、かつ、この側部１０１に連結具Ｒの雌パーツ１の脚部１１がボックス内方から入れ込まれる取付穴Ｈを備えたボックス体１００の取付構造であって、
固定側パネル２００には、取付穴Ｈから入れ込まれる雌パーツ１の脚部１１が入り込むボックス体１００の回動軌跡に沿った長穴２０１が形成されている。
【００６４】
図１に示される例にあっては、かかるボックス体１００は、同図において符号２０２で示される固定側パネル２００に設けられた軸穴と、ボックス体１００の側部１０１に設けられた軸穴１０２とに図示しない軸を入れ込ませて固定側パネル２００にボックス体１００を回動可能に組み付けるようにしている。
【００６５】
かかる取付構造にあっては、先ず、ボックス体１００の内方からボックス体１００側の取付穴Ｈに連結具Ｒを入れ込み仮留めさせておき、固定側パネル２００の長穴２０１にこのように仮留めされた連結具Ｒの雌パーツ１の先端側が適切に入れ込めたことを確認した後、連結具Ｒを本留めするようにして、ボックス体１００を固定側パネル２００に回動可能に連係させることができ、さらに、長穴２０１の前端に連結具Ｒを突き当てさせることにより、ボックス体１００のストッパーとして役割を連結具Ｒに兼ねさせることができる。ボックス体１００の取り外しが必要な場合も、ボックス体１００の内方より、維持用掛合部２０ｃの掛合を解いて雌パーツ１内から雄パーツ２を抜き出させることにより、前記本留め状態を容易に解除してこの取り外しをなすようにすることができる。
【００６６】
【発明の効果】
この発明にかかる連結具によれば、取付穴に雌パーツを入れ込ませてこの取付穴に雌パーツを仮留めする作業を雄パーツの押圧用頭部を押圧するようにして行っても、この押圧が雌パーツの掛合突部を弾性変形させて取付穴に掛合させる程度の力でなされている限り、この仮留めのための押圧によって雌パーツ内に雄パーツが押し込み切られてしまうことがなく、取付穴に対して連結具が予期せず本留めされてしまう事態をできる限り生じさせないようにすることができる。
【図面の簡単な説明】
【図１】ボックス体１００の取付構造の一例を構成する各部材の分離斜視構成図
【図２】仮留め状態にある連結具Ｒの一部破断側面図
【図３】仮留め状態にある連結具Ｒの一部破断側面図
【図４】本留め状態にある連結具Ｒの一部破断側面図
【図５】本留め状態にある連結具Ｒの一部破断側面図
【図６】連結具Ｒの平面図（仮組み状態）
【図７】連結具Ｒの底面図（仮組み状態）
【図８】連結具Ｒの要部斜視図（仮組み状態）
【図９】雄パーツ２の一部破断側面図
【図１０】同断面図
【図１１】同一部破断側面図
【図１２】同平面図
【図１３】同底面図
【図１４】雌パーツ１の一部破断側面図
【図１５】図１４におけるＡ−Ａ線断面図
【図１６】雌パーツ１の一部破断側面図
【図１７】雌パーツ１の平面図
【図１８】同底面図
【符号の説明】
Ｒ  連結具
Ｈ  取付穴
１  雌パーツ
１０  頭部
１１  脚部
１１ａ  掛合突部
１２  内部空間
２  雄パーツ
２０  押圧用頭部
２１  差し入れ脚部
２１ｂ  第一掛合部
２１ｄ  第二掛合部
【図１】
2004156722.tif 000003
【図２】
2004156722.tif 000004
【図３】
2004156722.tif 000005
【図４】
2004156722.tif 000006
【図５】
2004156722.tif 000007
【図６】
2004156722.tif 000008
【図７】
2004156722.tif 000009
【図８】
2004156722.tif 000010
【図９】
2004156722.tif 000011
【図１０】
2004156722.tif 000012
【図１１】
2004156722.tif 000013
【図１２】
2004156722.tif 000014
【図１３】
2004156722.tif 000015
【図１４】
2004156722.tif 000016
【図１５】
2004156722.tif 000017
【図１６】
2004156722.tif 000018
【図１７】
2004156722.tif 000019
【図１８】
2004156722.tif 000020